(57)【特許請求の範囲】
【請求項１】
ＭＰＥＧ２−ＴＳ（トランスポートストリーム）互換データストリームの無線送信のための送信装置であって、前記送信装置は、
第１のＭＰＥＧ２−ＴＳ互換データストリームを供給するための第１の信号源と、
ＷｉＦｉアライアンスのＷｉＦｉディスプレイ技術仕様の送信システムであって、第２のＭＰＥＧ２−ＴＳ互換データストリームを供給するための第２の信号源を有する、送信システムと、
前記第１のＭＰＥＧ２−ＴＳ互換データストリームおよび前記第２のＭＰＥＧ２−ＴＳ互換データストリームを直接に受信するための入力装置であって、前記第１のＭＰＥＧ２−ＴＳ互換データストリームと前記第２のＭＰＥＧ２−ＴＳ互換データストリームとの間で切り替えをするためのスイッチ手段を有する、入力装置と
を備え、
前記第１の信号源は、
前記送信装置の外部からのＭＰＥＧ２−ＴＳ互換データストリームである、複数のビデオおよび／またはオーディオ情報信号を含むＭＰＥＧ２−ＴＳ互換データストリームを受信するための装置と、
ｉ）前記複数のビデオおよび／またはオーディオ情報信号を含む前記ＭＰＥＧ２−ＴＳ互換データストリームからただ１つのビデオおよび／またはオーディオ情報信号を引き出し、
ｉｉ）前記ただ１つのビデオおよび／またはオーディオ情報信号を含むＭＰＥＧ２−ＴＳ互換データストリームを生成し、
ｉｉｉ）前記ただ１つのビデオおよび／またはオーディオ情報信号を含む前記ＭＰＥＧ２−ＴＳ互換データストリームを、前記第１のＭＰＥＧ２−ＴＳ互換データストリームとして前記第１の信号源の出力に供給する、選択装置と
を有し、
前記第２のＭＰＥＧ２−ＴＳ互換データストリームは、前記送信装置の内部からのＭＰＥＧ２−ＴＳ互換データストリームであって、かつ、ただ１つのビデオおよび／またはオーディオ情報信号を含み、
前記送信システムは、
前記入力装置によって受信された、前記第１のＭＰＥＧ２−ＴＳ互換データストリームおよび前記第２のＭＰＥＧ２−ＴＳ互換データストリームのうちの１つを、前記ＷｉＦｉアライアンスのＷｉＦｉディスプレイ技術仕様互換データストリームに変換し、
前記ＷｉＦｉディスプレイ技術仕様互換データストリームを受信機に無線で送信する
送信装置。
【請求項２】
前記選択装置は、前記複数のビデオおよび／またはオーディオ情報信号を含む前記ＭＰＥＧ２−ＴＳ互換データストリームを、前記ただ１つのビデオおよび／またはオーディオ情報信号を含む前記ＭＰＥＧ２−ＴＳ互換データストリームへと変換する再多重化装置を含む
請求項１に記載の送信装置。
【請求項３】
前記第１の信号源は、コード変換装置を有さない
請求項１または２に記載の送信装置。
【請求項４】
前記スイッチ手段は、前記第１のＭＰＥＧ２−ＴＳ互換データストリームおよび前記第２のＭＰＥＧ２−ＴＳ互換データストリームのうちの前記１つを、ＭＰＥＧ２−ＴＳ互換データストリームをＲＴＰ（リアルタイムプロトコル）データストリームに変換するためのＲＴＰ処理ユニットに供給するための出力を有する
請求項１から３のいずれか一項に記載の送信装置。
【請求項５】
前記ＷｉＦｉアライアンスのＷｉＦｉディスプレイ技術仕様は、バージョン１．０．０（Ｍｉｒａｃａｓｔ）である
請求項１から４のいずれか一項に記載の送信装置。
【発明の詳細な説明】
【技術分野】
【０００１】
［イントロダクション］
本発明は、請求項１のプリアンブルによる送信装置、ならびにこのタイプの送信装置において適用されうる信号源に関する。請求項１のプリアンブルによる送信装置は、Ｗｉ−ＦｉアライアンスのＷｉ−Ｆｉディスプレイ技術仕様バージョン１．０．０により知られる。この技術仕様は、Ｍｉｒａｃａｓｔ規格に準拠する無線送信システムを記載している。
【０００２】
既知の送信装置において、ビデオおよび／またはオーディオ情報信号は、無線で送信されるＭｉｒａｃａｓｔ互換データストリームに符号化される。この目的のために、ビデオおよび／またはオーディオ情報信号は、ビデオまたはオーディオの符号化の後、ＭＰＥＧ２−ＴＳ互換データストリームにパケット化され、このＭＰＥＧ２−ＴＳ互換データがＭｉｒａｃａｓｔ互換データストリームに変換されたら、受信機、例えば、Ｍｉｒａｃａｓｔ互換のテレビ受信機に無線で送信されうる。
【発明の概要】
【０００３】
本発明の目的は、改良された送信装置を提供することである。請求項１のプリアンブルによる送信装置は、当該請求項１の特徴部分において定義されるように特徴づけられる。本発明による送信装置のさらなる複数の展開が、従属する請求項２から４においてクレームされる。信号源は、請求項５から７によって特徴づけられる。全ての添付される特許請求は、本記載の一体部分であると考えられる。
【０００４】
本発明の根本的な目的は、既にＭＰＥＧ２−ＴＳ互換データストリームの形態で存在するビデオおよび／またはオーディオ情報信号を受信機へ無線で送信することのできる送信装置を提案することである。
【０００５】
家庭で使用されるモバイルコンピューティングデバイスの数は絶えず増え続けている。このため、ホームエンターテイメントはますます重要になってきている。ユーザらは、スマートフォン、ＭＰ３プレーヤ、およびカメラなどのオーディオ源およびビデオ源をテレビ受信機またはハイファイシステムに接続したいとますます願う。しかしながら、可能性のある源はこれらだけではない。将来は、このやり方で受信された複数のプログラムを視覚的および聴覚的に再生するために、家庭の１または複数の高解像度スクリーンまたはサウンドシステムに直接的に無線で送信すべく、供給の異なる手段、例えば、ＤＶＢ−Ｔ２受信機が用いられるだろう。
【０００６】
最近導入されたＭｉｒａｃａｓｔと呼ばれる送信方法は、この事を助成するが、それに限定されない。送信方法は、しかしながら、どちらかといえば融通が利かない。なぜならば、符号化されていないビデオおよび／またはオーディオ信号だけしか受け入れないからである。
【０００７】
本発明によると、既にＭＰＥＧ２−ＴＳと互換性のある複数のデータストリームは、コード変換されることなく無線で現在の複数の情報信号を送信可能にされる。
【０００８】
現在利用可能な複数の受信機、例えば、ＤＶＢ受信機はまた、いくつかのビデオおよび／またはオーディオ情報信号を含むＭＰＥＧ２−ＴＳ互換データストリームを受信するための装置、ならびに、いくつかのビデオおよび／またはオーディオ情報信号を含むＭＰＥＧ２−ＴＳ互換データストリームから、単独のビデオおよび／またはオーディオ情報信号をそらすために組み込まれる選択装置も含むことに言及されるべきである。これらの既知の複数のＤＶＢ受信機においては、しかしながら、この単独のビデオおよび／またはオーディオ情報信号は、次にテレビ受信機に直接供給されうるビデオおよび／またはオーディオ情報信号を得るべく復号される。ＭＰＥＧ２−ＴＳ互換データストリームは、この単独のビデオおよび／またはオーディオ情報信号だけを含む。ゆえに、それは、どの既知のＤＶＢ受信機においても生成されない。
【０００９】
ドイツ公開特許第１０２０１００３３０３４Ａ１が、符号化されたデジタルビデオおよび／またはオーディオ情報信号を受信でき、それを受信機に無線で送信することもまたできる送信装置を記載していることにもまた言及されるべきである。それを行うべく、無線接続を可能にするために、この符号化された信号は、しかしながら、まず適切なフォーマットにコード変換されなくてはならない。これは、無線送信にこのタイプのコード変換を必要としない本発明による送信装置とは正反対である。
【図面の簡単な説明】
【００１０】
本発明は、以下の図の説明におけるいくつかの実装形態を参照して詳細に記載される。
【図１】本発明による送信装置の実装形態を示す。
【図２】図１の送信装置内のいくつかのデータストリームを示す。
【図３】送信装置の第２の実装形態を示す。
【図４】異なる送信装置の第３の実装形態を示す。
【図５】送信装置の第４の実装形態を示す。
【発明を実施するための形態】
【００１１】
図１は送信装置の実装形態１００を概略的に示す。送信装置は、出力１０３においてＭＰＥＧ２−ＴＳ互換データストリームを供給するための信号源１０２を含む。送信装置１００はまた、受信機へのＭＰＥＧ２−ＴＳ互換データストリームの無線送信のための装置１０４を含む。受信機は図示されない。信号源１０２は、いくつかのビデオおよび／またはオーディオ情報信号を含むＭＰＥＧ２−ＴＳ互換データストリームを受信するための装置１０５、ならびに選択装置１０６を含む。選択装置１０６は以下を実行すべく適合される。
ｉ．装置１０５の出力において、いくつかのビデオおよび／またはオーディオ情報信号を有するＭＰＥＧ２−ＴＳ互換データストリームからただ１つのビデオおよび／またはオーディオ情報信号だけを引き出す。
ｉｉ．このただ１つのビデオおよび／またはオーディオ情報信号だけを含むＭＰＥＧ２−ＴＳ互換データストリームを生成する。
ｉｉｉ．信号源のＭＰＥＧ２−ＴＳ互換出力データストリームとして出力１０３にこのデータストリームを供給する。
【００１２】
源１０２は、例えば、装置１０５を用いて既知の手法で、受信されたＤＶＢ信号から、いくつかのビデオおよび／またはオーディオ情報信号を含むＭＰＥＧ２−ＴＳ互換データストリームをそらすことができるＤＶＢ受信機でありえる。
【００１３】
いくつかのビデオおよび／またはオーディオ情報信号を含むそのようなＭＰＥＧ２−ＴＳ互換データストリームの構成が図２の（ａ）に示される。この単独のビデオおよび／またはオーディオ情報信号だけを含むＭＰＥＧ２−ＴＳ互換データストリームが図２の（ａ）に示される。
【００１４】
ゆえに装置１０５は、上述したように、いくつかのビデオおよび／またはオーディオ情報信号を含むＭＰＥＧ２−ＴＳ互換データストリームを受信し、かつそれを出力端子１１０に供給できる。装置１０５は、例えば、ＤＶＢ受信機の一般に知られる受信機器でありうる。出力端子１１０におけるシリアルデータストリームの構成が、特に図２の（ｄ）を参照して、図２において続いて示される。このシリアルデータストリームはいくつかのビデオおよび／またはオーディオ情報信号を含む。ＤＶＢ受信機において、これらはいくつかの（ｎ個の）テレビ番組、ＦＳＰ１、ＦＳＰ２、ＦＳＰ３、...、ＦＳＰｎであり、これらのテレビ番組のそれぞれであるＦＳＰｉは、一例として、ビデオ情報信号Ｖｉおよび各オーディオ情報信号Ａｉに割り当てられる。
【００１５】
上述したように、選択装置１０６は、いくつかのビデオおよび／またはオーディオ情報信号を含むＭＰＥＧ２−ＴＳ互換データストリームである、出力端子１１０におけるＭＰＥＧ２−ＴＳ互換データストリームからただ１つのビデオおよび／またはオーディオ情報信号だけを引き出す。
【００１６】
換言すると、選択装置１０６は、いくつかのテレビ番組ＦＳＰｎからただ１つのテレビ番組ＦＳＰｉだけを引き出し、このただ１つのビデオおよび／またはオーディオ情報信号（ＶｉおよびＡｉ）だけを含むＭＰＥＧ２−ＴＳ互換データストリームの形態で、出力端子１０３にこのテレビ番組を供給する。図２はまた、このただ１つのビデオおよび／またはオーディオ情報信号だけを含むこのＭＰＥＧ２−ＴＳ互換データストリームの構成も示す。このデータストリームは図２の（ｅ）において詳細に示される。
【００１７】
上述したように、装置１０４はＭＰＥＧ２−ＴＳ互換データストリームを受信機に無線で送信すべく適合される。受信機は図示されない。この装置１０４は、例えば、Ｗｉ−ＦｉアライアンスのＷｉ−Ｆｉディスプレイ技術仕様バージョン１．０．０で用いられるものとして、または、ドイツ公開特許１０２０１００３３０３４Ａ１において既に記載されるものとして、一般に知られる装置である。
【００１８】
図２は、いくつかのビデオおよび／またはオーディオ情報信号（ＶｎおよびＡｎ）を含むＭＰＥＧ２−ＴＳ互換データストリームの構成を概略的に示す。この実装形態において、データストリームは２つのビデオおよび／またはオーディオ情報信号Ｖ１、Ａ１およびＶ２およびＡ２（ｎ＝２）を含む。図２の（ａ）、（ｂ）および（ｃ）は、ビデオ情報信号Ｖ１および各オーディオ情報信号Ａ１がどのようにシリアルデータストリームに組み込まれるかを示す。エレメンタリストリームプレーンＥＳにおいて、図２の（ａ）を参照すると、複数のＩフレーム（＝フレーム内符号化された、複数のパケットまたは複数のフレーム）、複数のＰフレーム（＝一方向にフレーム間符号化された、複数のパケットまたは複数のフレーム）、および複数のＢフレーム（＝双方向にフレーム間符号化された、複数のパケットまたは複数のフレーム）に符号化されたビデオ情報信号がある。オーディオ情報信号Ａ１は、複数のオーディオ信号ブロック（または複数のフレーム）に存在する。
【００１９】
図２の（ｂ）は、パケット化エレメンタリストリームプレーンＰＥＳにおける、ビデオ情報信号Ｖ１および各オーディオ情報信号Ａ１を示す。このデータストリームは、ビデオおよびオーディオ情報信号の複数の信号ブロックに複数の信号ブロックヘッダを付加することによって生成される。
【００２０】
図２の（ｃ）は、図２の（ｂ）のビデオ情報信号Ｖ１および各オーディオ情報信号Ａ１の、トランスポートストリームＴＳへの変換を示す。ここで、この例示的な実施形態において、Ｉフレームｉ（Ｖ１）のコンテンツが、図２の（ｃ）において示されるトランスポートストリームの１つのフレームに組み込まれるには大きすぎることは明らかである。従って、Ｉフレームｉ（Ｖ１）のコンテンツは、代わりにトランスポートストリームＴＳの３つの連続するフレームに格納される。第３のフレーム（Ｖ１−ＴＳ  ｉ＋２）は複数のスタッフィングビットで部分的に埋められる。この分散は、適用されるコーデックに応じて全てのフレーム（Ｉ、Ｐ、Ｂ、およびオーディオ）に対して必要である場合もあり、場合によって変化する。
【００２１】
図２の（ｄ）は、ビデオ情報信号Ｖ１および各オーディオ情報信号Ａ１、ならびにビデオ情報信号Ｖ２および各オーディオ情報信号Ａ２を含むＭＰＥＧ２−ＴＳ互換トランスポートストリームの構成を示す。ビデオ情報信号Ｖ１および各オーディオ情報信号Ａ１の複数のフレームが、ビデオ情報信号Ｖ２（Ｖ２−ＴＳ  ｉ、Ｖ２−ＴＳ  ｉ＋１、...）の複数のフレームおよび各オーディオ情報信号Ａ２（Ａ２−ＴＳ  ｉ、Ａ２−ＴＳ  ｉ＋１、...）の複数のフレームと交互になりながら、ＭＰＥＧ２−ＴＳ互換データストリームにどのように組み込まれるのかは明らかである。
【００２２】
このデータストリームはこのように、装置１０５の出力１１０における出力信号を形成する。
【００２３】
図２の（ｅ）は、選択装置１０６の出力信号を示し、ただ１つのビデオおよび／またはオーディオ情報信号（Ｖ１、Ａ１）だけを含むＭＰＥＧ２−ＴＳ互換データストリームを示す。図２の（ｄ）のデータストリーム中のビデオ情報信号Ｖ１および各オーディオ情報信号Ａ１の複数のフレームだけがデータストリームからフィルタリングされて、ビデオ情報信号Ｖ１および／またはオーディオ情報信号Ａ１の複数のフレームだけを含む、図２の（ｅ）による新たなＭＰＥＧ２−ＴＳ互換データストリームを形成する。
【００２４】
本発明は図３を参照してさらに記載される。ここで、送信装置３００の信号源はフレーム３０２によって示される。送信装置３００の無線送信のための装置は、ブロック３０４によって示される。
【００２５】
既に上述されたように、いくつかのビデオおよび／またはオーディオ情報信号を有するＭＰＥＧ２−ＴＳ互換データストリームが信号源３０２に供給される。いくつかのビデオおよび／またはオーディオ情報信号を有するこのＭＰＥＧ２−ＴＳ互換データストリームが、（既知であり、本発明の一部ではない）複数の異なるタイプのデータストリームに含まれることがあり、複数の異なるタイプのデータストリームから引き出されうる。
【００２６】
複数の異なるタイプのデータストリームは例えば、規格ＤＶＢ−Ｔ、ＤＶＢ−Ｔ２、ＤＶＢ−Ｓ、ＤＶＢ−Ｓ２、ＤＶＢ−Ｃ、ＤＡＢ、ＤＡＢ＋、ＤＭＢ、ＬＴＥ、ＵＭＴＳ、ＧＳＭ（登録商標）、またはＭＰＥＧ２−ＴＳに準拠する複数のメディアファイルに含まれる。
【００２７】
ブロック３１２は以下のように理解されるべきである。ブロック３１２は、上述された規格と互換性のある複数のデータストリームのうちの１つからの、１または複数のビデオおよび／またはオーディオ情報信号を有するＭＰＥＧ２−ＴＳ互換データストリームの抽出のための装置を含むか、または、ブロック３１２は、１または複数のビデオおよび／またはオーディオ情報信号を有する抽出されたＭＰＥＧ２−ＴＳ互換データストリームを受信する単なる入力端子であると理解されるべきか、の何れかである。
【００２８】
ブロック３１４において、図２の（ｄ）に示されるように、いくつかのビデオおよび／またはオーディオ情報信号を有するＭＰＥＧ２−ＴＳ互換データストリームが、上述された規格と互換性のある複数のデータストリームのうちの１つから受信される場合、既に上述されたように、単独のオーディオおよび／または情報信号（Ｖｉ、Ａｉ）だけが引き出される。この処理方法は、再多重化と解釈されるべきである。
【００２９】
既に、ただ１つのビデオおよび／またはオーディオ情報信号だけを含むＭＰＥＧ２−ＴＳ互換データストリームが受信される場合、ブロック３１４が省略される（破線３１５を参照）ことは明らかである。
【００３０】
ブロック３１６において、一般的に知られるＨＤＣＰ（高帯域幅デジタルコンテンツ保護）法が、ただ１つのビデオおよび／またはオーディオ情報信号に適用される。ブロック３１８において、今度は、このただ１つの（データ保護された）ビデオおよび／またはオーディオ情報信号（Ｖｉ、Ａｉ）を、無線で送信されうるＭＰＥＧ２−ＴＳ互換データストリームに変換する。
【００３１】
ブロック３２０において、エンベッディングが実行される。ここで、このただ１つのビデオおよび／またはオーディオ情報信号だけを含むＭＰＥＧ２−ＴＳ互換データストリームは、ＲＰＴ（リアルタイムプロトコル）ペイロードストリームに変換される。その後、ブロック３２２において、ＲＰＴペイロードストリームは、ＵＤＰ（ユニバーサルデータグラムプロトコル）データストリームに組み込まれる。ブロック３２４において、ＵＤＰデータストリームはその後、ＩＰ（インターネットプロトコル）データストリームに組み込まれる。ブロック３２６において、ＩＰデータストリームは、受信機（図示せず）への無線送信のための規格ＩＥＥＥ８０２．１１に従ってＷＬＡＮデータストリームに、複数のパケットにおいて、組み込まれる。このＷＬＡＮデータストリームは、Ｗｉ−ＦｉアライアンスのＷｉ−Ｆｉピアツーピア（Ｐ２Ｐ）技術仕様バージョン１．１に記載される。
【００３２】
図４は、本発明による、送信装置４００の異なる実装形態を示す。破線で囲まれたブロック４３０は、さらにＭｉｒａｃａｓｔ送信装置とも呼ばれる、（Ｍｉｒａｃａｓｔ仕様の）Ｗｉ−ＦｉアライアンスのＷｉ−Ｆｉディスプレイ技術仕様バージョン１．０．０により知られる無線送信装置である。
【００３３】
Ｍｉｒａｃａｓｔ送信装置の詳細な説明のために、このＷｉ−Ｆｉディスプレイ技術仕様が参照される。図４において示される送信装置は、しかしながら、無線送信に先立つ、ただ１つのビデオおよび／またはオーディオ情報信号だけを含むＭＰＥＧ２−ＴＳ互換データストリームの直接的な受信のための入力装置４３２がさらに備えられる。図４において示されるように、ただ１つのビデオおよび／または情報信号だけを含むこのＭＰＥＧ２−ＴＳ互換データストリームは、ＲＴＰプレーンにおいて送信装置４００に直接供給される。ハードウェアソリューションに従って、これは、入力装置４３２が、示されるような位置（スイッチが左側を向いている）で配置されるスイッチ装置４３５を含むことによって達成される。それから、送信装置は従来のＭｉｒａｃａｓｔ送信システムとして動作する。スイッチ４３５が複数のダッシュによって示されるような位置（スイッチが右側を向いている）で配置される場合、ただ１つのビデオおよび／またはオーディオ情報信号だけを含むＭＰＥＧ２−ＴＳデータストリームの形態で既に存在する互換性のあるデータストリームは、入力装置４３２の入力端子４３８において直接取得されえて、送信システム４３０を用いて無線で送信されうる。
【００３４】
それゆえ、スイッチ装置（４３５）は、ただ１つのビデオおよび／またはオーディオ情報信号を含む内部のＭＰＥＧ２−ＴＳ互換データストリームと、ただ１つのビデオおよび／またはオーディオ情報信号を含む上記外部のＭＰＥＧ２−ＴＳ互換データストリームとの間で切り替えるべく適合される。
【００３５】
入力装置４３２がまたソフトウェアソリューションとしても具現化されうることは明らかである。
【００３６】
図５は、さらに、本発明による、送信装置５００の異なる実装形態を示す。この実装形態は信号源５０２をさらに含む。この信号源５０２は、このただ１つのビデオおよび／またはオーディオ情報信号だけを含むＭＰＥＧ２−ＴＳ互換データストリームを、入力装置４３２を介してＭｉｒａｃａｓｔ送信システム４３０に供給する。この目的のために、信号源５０２の出力５３４は、それから入力装置４３２の入力端子４３８に結合される。
【００３７】
スイッチ手段（４３２）は、このただ１つのビデオおよび／またはオーディオ情報信号を含むＭＰＥＧ２−ＴＳ互換データストリームを、このただ１つのビデオおよび／またはオーディオ情報信号を含むＭＰＥＧ２−ＴＳ互換データストリームをＲＴＰデータストリームへと変換するためのＲＴＰ（リアルタイムプロトコル）処理ユニットへ、出力において供給する。
【００３８】
信号源５０２は、図３における信号源３０２のように組み立てられうる。そしてブロック５１２、５１４、５１６および５１８は、図３において既に記載された対応するフレーム３１２、３１４、３１６および３１８と同様に機能する。
【図１】
0006648372.tif 000002
【図２】
0006648372.tif 000003
【図３】
0006648372.tif 000004
【図４】
0006648372.tif 000005
【図５】
0006648372.tif 000006